【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
操作端末と、複数の操作端末との間で通信可能な情報処理装置と、を備えた情報通信システムであって、
前記操作端末は、ユーザからの入力操作を受ける操作部と、前記情報処理装置との間で情報を送受信する端末側送受信手段と、固有の端末識別情報が予め記憶された識別情報記憶手段と、を有し、
前記情報処理装置は、所定の情報処理を実行する情報処理実行手段と、前記情報処理実行手段が実行する情報処理に応じて前記情報処理装置と一体的又は別体に設けられた本体側表示手段の表示制御を行う本体側表示制御手段と、前記操作端末との間で情報を送受信する本体側送受信手段と、予め設定された複数の仮想端末番号の一つと前記本体側送受信手段が受信した端末識別情報とを対応づけると共に前記端末識別情報に対応づけた一つの仮想端末番号を前記所定の情報処理に関連づける対応関係設定手段と、を有し、
前記端末側送受信手段は、前記操作部が所定の入力操作を受けたとき、この入力操作に対応した特定処理実行指示信号を前記本体側送受信手段へ送信し、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、当該所定の情報処理に応じた表示に代えて又は該表示に重ねて、当該端末識別情報を保持する操作端末に関する操作端末情報を前記本体側表示手段に表示させる
ことを特徴とする情報通信システム。
【請求項２】
請求項１に記載の情報通信システムであって、
前記端末側送受信手段と前記本体側送受信手段とは、有線及び無線による通信が可能で
あり、両送受信手段が有線接続された状態では有線によって情報を送受信し、両送受信手段が有線接続されていない状態では無線によって情報を送受信し、
前記操作端末は、無線による通信時に自己への駆動用電力を供給するバッテリと、このバッテリの蓄電量を求める蓄電量検知手段と、を有し、
前記端末側送受信手段と前記本体側送受信手段とが有線接続された状態で、前記情報処理装置は有線接続を介して前記操作端末へ駆動用電力を供給し、
前記端末側送受信手段は、前記蓄電量検知手段が求めたバッテリの蓄電量に関する情報を前記本体側送受信手段へ送信し、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記バッテリの蓄電量に関する情報に基づいて、該バッテリの蓄電量を直接的又は間接的に示す表示を前記操作端末情報として前記本体側表示手段に表示する
ことを特徴とする情報通信システム。
【請求項３】
請求項１に記載の情報通信システムであって、
前記端末側送受信手段と前記本体側送受信手段とは、有線及び無線による通信が可能であり、
前記情報処理装置は、無線による通信時に前記端末側送受信手段と前記本体側送受信手段との間の通信環境状態を検出する通信環境状態検出手段を有し、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記通信環境状態検出手段が検出する通信環境状態を直接的又は間接的に示す表示を前記操作端末情報として前記本体側表示手段に表示する
ことを特徴とする情報通信システム。
【請求項４】
請求項１に記載の情報通信システムであって、
前記情報処理装置は、前記端末識別情報と仮想端末番号との対応関係が登録され記憶される対応関係記憶手段を有し、
前記端末側送受信手段は、前記本体側送受信手段との間で通信を開始する際に前記識別情報記憶手段に記憶された端末識別情報を前記本体側送受信手段へ送信し、
前記対応関係設定手段は、前記本体側送受信手段が受信した端末識別情報が前記対応関係記憶手段に登録されているか否かを判定し、既に登録されている場合には、この登録されている仮想端末番号と前記端末識別情報とを対応づける既登録対応関係設定処理を実行し、未だ登録されていない場合には、前記複数の仮想端末番号のうち未だ対応関係が設定されていない一つの仮想端末番号と前記端末識別情報とを対応づけると共にこの対応関係を前記対応関係記憶手段に登録する新規対応関係設定処理を実行し、且つ前記既登録対応関係設定処理又は前記新規対応関係設定処理が完了したことを条件に前記端末識別情報に対応づけた一つの仮想端末番号を前記所定の情報処理に関連づけ、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記既登録対応関係設定処理又は前記新規対応関係設定処理によって対応づけられた仮想端末番号を直接又は間接的に表す識別表示を前記操作端末情報として前記本体側表示手段に表示する
ことを特徴とする情報通信システム。
【請求項５】
請求項１〜請求項４の何れかに記載の情報通信システムであって、
前記操作部は、前記所定の情報処理の実行に関与する入力用として割り当てられておらず且つ他の情報処理に優先して実行される特定の情報処理を開始させるための入力用として割り当てられた少なくとも一つの特定の操作部を含み、
前記端末側送受信手段は、前記特定の操作部が入力操作を受けたとき、この入力操作に対応した特定処理実行指示信号を前記本体側送受信手段へ送信する
ことを特徴とする情報通信システム。
【請求項６】
ユーザから操作される複数の操作端末との間でそれぞれ通信可能な情報処理装置であって、
前記情報処理装置は、所定の情報処理を実行する情報処理実行手段と、前記情報処理実行手段が実行する情報処理に応じて前記情報処理装置と一体的又は別体に設けられた本体側表示手段の表示制御を行う本体側表示制御手段と、前記操作端末との間で情報を送受信する本体側送受信手段と、予め設定された複数の仮想端末番号の一つと前記本体側送受信手段が受信した端末識別情報とを対応づけると共に前記端末識別情報に対応づけた一つの仮想端末番号を前記所定の情報処理に関連づける対応関係設定手段と、を有し、
前記仮想端末番号が関連づけられた所定の情報処理を前記情報処理実行手段が実行している際に、当該仮想端末番号と対応づけられた端末識別情報を保持する操作端末からの特定処理実行指示信号を前記本体側送受信手段が受信したとき、前記本体側表示制御手段は、当該所定の情報処理に応じた表示に代えて又は該表示に重ねて、当該端末識別情報を保持する操作端末に関する操作端末情報を前記本体側表示手段に表示させる
ことを特徴とする情報処理装置。
【請求項７】
請求項６に記載の情報処理装置であって、
前記本体側送受信手段は、前記操作端末との間で有線及び無線による通信が可能であり、有線接続された状態では有線によって前記操作端末との間で情報を送受信し、有線接続されていない状態では無線によって情報を送受信し、
前記情報処理装置は、前記操作端末と有線接続された状態で、該有線接続を介して前記操作端末へ駆動用電力を供給し、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記操作端末から受信した該操作端末のバッテリの蓄電量に関する情報に基づいて、該バッテリの蓄電量を直接的又は間接的に示す表示を前記操作端末情報として前記本体側表示手段に表示する
ことを特徴とする情報処理装置。
【請求項８】
請求項６に記載の情報処理装置であって、
前記本体側送受信手段は、前記操作端末との間で有線及び無線による通信が可能であり、
前記情報処理装置は、無線による通信時に前記端末側送受信手段と前記本体側送受信手段との間の通信環境状態を検出する通信環境状態検出手段を有し、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記通信環境状態検出手段が検出する通信環境状態を直接的又は間接的に示す表示を前記操作端末情報として前記本体側表示手段に表示する
ことを特徴とする情報処理装置。
【請求項９】
請求項６に記載の情報処理装置であって、
前記端末識別情報と仮想端末番号との対応関係が登録され記憶される対応関係記憶手段を有し、
前記本体側送受信手段は、前記操作端末から該操作端末が保持する端末識別情報を受信し、
前記対応関係設定手段は、前記本体側送受信手段が受信した端末識別情報が前記対応関係記憶手段に登録されているか否かを判定し、既に登録されている場合には、この登録されている仮想端末番号と前記端末識別情報とを対応づける既登録対応関係設定処理を実行し、未だ登録されていない場合には、前記複数の仮想端末番号のうち未だ対応関係が設定されていない一つの仮想端末番号と前記端末識別情報とを対応づけると共にこの対応関係を前記対応関係記憶手段に登録する新規対応関係設定処理を実行し、且つ前記既登録対応関係設定処理又は前記新規対応関係設定処理が完了したことを条件に前記端末識別情報に対応づけた一つの仮想端末番号を前記所定の情報処理に関連づけ、
前記仮想端末番号が関連づけられた所定の情報処理を前記情報処理実行手段が実行している際に、当該仮想端末番号と対応づけられた端末識別情報を保持する操作端末からの前記特定処理実行指示信号を前記本体側送受信手段が受信したとき、前記本体側表示制御手段は、前記既登録対応関係設定処理又は前記新規対応関係設定処理によって対応づけられた仮想端末番号を直接又は間接的に表す識別表示を前記操作端末情報として前記本体側表示手段に表示する
ことを特徴とする情報処理装置。
【請求項１０】
請求項６〜請求項９の何れかに記載の情報処理装置であって、
前記本体側送受信手段が受信する前記特定処理実行指示信号は、前記所定の情報処理の実行に関与する入力用として割り当てられておらず且つ他の情報処理に優先して実行される特定の情報処理を開始させるための入力用として割り当てられた少なくとも一つの特定の操作部を有する前記操作端末の前記特定の操作部が入力操作を受けたときに、この操作入力に対応して生成されて当該操作端末から送信される
ことを特徴とする情報処理装置。
【請求項１１】
ユーザから操作される複数の操作端末との間でそれぞれ通信可能な本体側送受信手段を備えた情報処理装置のコンピュータを、
所定の情報処理を実行する情報処理実行手段、
前記情報処理実行手段が実行する情報処理に応じて前記情報処理装置と一体的又は別体に設けられた本体側表示手段の表示制御を行う本体側表示制御手段、及び
予め設定された複数の仮想端末番号の一つと前記本体側送受信手段が受信した端末識別情報とを対応づけると共に前記端末識別情報に対応づけた一つの仮想端末番号を前記所定の情報処理に関連づける対応関係設定手段
として機能させる情報処理プログラムであって、
前記仮想端末番号が関連づけられた所定の情報処理を前記情報処理実行手段が実行している際に、当該仮想端末番号と対応づけられた端末識別情報を保持する操作端末からの特定処理実行指示信号を前記本体側送受信手段が受信したとき、前記本体側表示制御手段が、当該所定の情報処理に応じた表示に代えて又は該表示に重ねて、当該端末識別情報を保持する操作端末に関する操作端末情報を前記本体側表示手段に表示させる
ことを特徴とする情報処理プログラム。
【請求項１２】
請求項１１に記載の情報処理プログラムが記憶されたコンピュータ読み取り可能な記憶媒体。
【請求項１３】
操作端末と、複数の操作端末との間で通信可能な情報処理装置と、を備えた情報通信システムにおいて実行される表示制御方法であって、
前記情報処理装置が、予め設定された複数の仮想端末番号の一つと前記複数の操作端末の一つが保持する固有の端末識別情報とを対応づけると共に、前記端末識別情報に対応づけた一つの仮想端末番号を所定の情報処理に関連づける対応関係設定ステップと、
前記情報処理装置が、前記一つの仮想端末番号に関連付けられた所定の情報処理を実行する処理実行ステップと、
前記所定の情報処理を前記情報処理装置が実行しているとき、ユーザが、前記一つの操作端末に対して所定の入力操作を行う入力ステップと、
前記所定の入力操作を受けた前記操作端末が、当該所定の入力操作に対応した特定処理実行指示信号を前記情報処理装置へ送信する指示信号送信ステップと、
前記情報処理装置が、前記操作端末から送信された特定処理実行指示信号を受信する指示信号受信ステップと、
前記特定処理実行指示信号を受信した情報処理装置が、当該情報処理装置と一体的又は別体に設けられた本体側表示手段に、前記操作端末に関する操作端末情報を、前記実行している所定の情報処理に応じた表示に代えて又は該表示に重ねて表示させる表示制御ステップと、
を備えたことを特徴とする表示制御方法。
【手続補正２】
【補正対象書類名】明細書
【補正対象項目名】発明の名称
【補正方法】変更
【補正の内容】
【発明の名称】情報通信システム、情報処理装置、情報処理プログラム、及び情報処理プログラムが記憶された記憶媒体、表示制御方法
【手続補正３】
【補正対象書類名】明細書
【補正対象項目名】０００１
【補正方法】変更
【補正の内容】
【０００１】
本発明は、例えばビデオゲーム機と複数のコントローラからなるエンタテインメントシステムのように複数の操作端末と情報処理装置から構成される情報通信システム、例えばビデオゲーム機のような情報処理装置、その動作を実行する処理プログラム、その処理プログラムが記憶された記憶媒体、上記情報通信システムにおいて実行される表示制御方法に関する。
【手続補正４】
【補正対象書類名】明細書
【補正対象項目名】０００９
【補正方法】変更
【補正の内容】
【０００９】
本発明は上述の課題に鑑みてなされたものであり、例えば複数のコントローラとそれらを接続可能なビデオゲーム機とからなるエンタテインメントシステムのように、複数の操作端末を接続可能な情報処理装置、その操作端末、及びそれらにより構成される通信システムにおいて、有線や無線という接続形式の影響を受けることなく、両者を対応づけることが可能な情報通信システム、情報処理装置、操作端末、それらの動作を実行する情報処理プログラム、その処理プログラムが記憶された記憶媒体、及び上記システムにおいて実行される表示制御方法を提供することを目的とする。
【手続補正５】
【補正対象書類名】明細書
【補正対象項目名】００１２
【補正方法】変更
【補正の内容】
【００１２】
情報処理装置は、情報処理実行手段と本体側表示制御手段と本体側送受信手段と対応関係設定手段を有する。情報処理手段は、所定の情報処理を実行する。本体側表示制御手段は、情報処理実行手段が実行する情報処理に応じて、情報処理装置と一体的又は別体に設けられた本体側表示手段の表示制御を行う。本体側送受信手段は、操作端末との間で情報を送受信する。対応関係設定手段は、予め設定された複数の仮想端末番号の一つと本体側送受信手段が受信した端末識別情報とを対応づけると共に、端末識別情報に対応づけた一つの仮想端末番号を上記所定の情報処理に関連づける。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
仮想端末番号が関連づけられた所定の情報処理を情報処理実行手段が実行している際に、当該仮想端末番号と対応づけられた端末識別情報を保持する操作端末からの特定処理実行指示信号を本体側送受信手段が受信したとき、本体側表示制御手段は、当該所定の情報処理に応じた表示に代えて又は該表示に重ねて、当該端末識別情報を保持する操作端末に関する操作端末情報を本体側表示手段に表示させる。